(57)【要約】【課題】コンタクトレンズの位置ずれを直したり目から異物を除去したりコンタクトレンズを装着することが容易となるようにする。【解決手段】本体１０と、本体１０に対してヒンジ３０によって連結されヒンジ３０を中心に回動することによって本体１０と重なる非使用位置と本体１０と重ならない使用位置との間を変位可能な蓋体２０と、蓋体２０うちの本体１０に対向する側の面に設けられた拡大鏡２２及びそれに隣接して設けられた照明２６と、本体１０に設けられ、コンタクトレンズ及び／又は洗浄液収容容器が収容される収容部１２とを有する。【選択図】　　図１
2004021070.tif 000002
【特許請求の範囲】
【請求項１】
拡大鏡と、
前記拡大鏡に隣接して設けられた照明と
を有する携帯用鏡セット。
【請求項２】
請求項１に記載の携帯用鏡セットであって、さらに、
コンタクトレンズ及び／又は洗浄液収容容器が収容される収容部
を有する携帯用鏡セット。
【請求項３】
請求項１に記載の携帯用鏡セットであって、
第１部材と、
前記第１部材に対してヒンジによって連結され当該ヒンジを中心に回動することによって前記第１部材と重なる非使用位置と前記第１部材と重ならない使用位置との間を変位可能な第２部材とを有し、
前記拡大鏡及び前記照明は、前記第２部材及び前記第１部材のうちの一方のうち前記第２部材及び前記第１部材のうちの他方に対向する側の面に設けられている、
携帯用鏡セット。
【発明の詳細な説明】
【０００１】
【発明の属する技術分野】
本発明は、携帯用鏡セットに関するものである。
【０００２】
【従来の技術】
近年、近視等の人のために、コンタクトレンズが広く普及している。
コンタクトレンズは、眼鏡と異なり、使用していることが外見上わからない等の利点を有している。
【０００３】
【発明が解決しようとする課題】
ところで、コンタクトレンズは、使用中において位置がずれてしまうことがある。その際は、使用者は、トイレ等の鏡を使用してその位置ずれを直すようにしている。
外出先で、特にコンタクトレンズの使用中において、目にゴミ等の異物が入った際には、その人（使用者）は激しい痛みを感じる。そして、その異物を取り除く場合も同様である。
また、外出先においてコンタクトレンズを装着しようとする場合も同様である。
【０００４】
しかしながら、コンタクトレンズは小さく、かつ、もともと視力の弱い人が使用するものであるため、トイレ等の一般の鏡を使用してコンタクトレンズの位置ずれを直したり、目から異物を除去したり、コンタクトレンズを装着しようとすることは、困難である。
【０００５】
そこで、本発明は、コンタクトレンズの位置ずれを直したり目から異物を除去したりコンタクトレンズを装着することが容易となる装置を提供することを課題とする。
【０００６】
【課題を解決するための手段】
上記の課題を解決するために、請求項１に係る発明は、拡大鏡と、前記拡大鏡に隣接して設けられた照明とを有する携帯用鏡セットである。
【０００７】
この発明の携帯用鏡セットでは、拡大鏡によって自分の目等が拡大して視認されるため、コンタクトレンズの位置ずれを直したり目から異物を除去したりコンタクトレンズを装着することが容易となる。また、拡大鏡に隣接して設けられた照明によって、夜間等の暗い場所においても、上記効果が確実に得られる。
【０００８】
請求項２に係る発明は、請求項１に係る発明の携帯用鏡セットであって、さらに、コンタクトレンズ及び／又は洗浄液収容容器が収容される収容部を有する携帯用鏡セットである。
【０００９】
この発明の携帯用鏡セットでは、コンタクトレンズ及び／又は洗浄液収容容器が収容部に収容されるため、それらを別個に携帯する必要がなく、便利である。
【００１０】
請求項３に係る発明は、請求項１に係る発明の携帯用鏡セットであって、第１部材と、前記第１部材に対してヒンジによって連結され当該ヒンジを中心に回動することによって前記第１部材と重なる非使用位置と前記第１部材と重ならない使用位置との間を変位可能な第２部材とを有し、前記拡大鏡及び前記照明は、前記第２部材及び前記第１部材のうちの一方のうち前記第２部材及び前記第１部材のうちの他方に対向する側の面に設けられている、携帯用鏡セットである。
【００１１】
この発明の携帯用鏡セットでは、通常時（非使用時）には第２部材を第１部材に重なる非使用位置に位置づけておき、使用時にのみ第２部材を第１部材と重ならない使用位置に位置づけることによって、必要なときのみ適切に使用することができる。
また、拡大鏡及び照明は、第２部材及び第１部材のうちの一方のうち第２部材及び第１部材のうちの他方に対向する側の面に設けられているため、非使用時（第２部材が非使用位置にある）には、当該他方の部材によって保護されて、便利である。
【００１２】
【発明の実施の形態】
次に、本発明の一実施形態を図面に基づいて説明する。
図１に示すように、この携帯用鏡セット（コンパクト）は、本体１０（第１部材）と蓋体２０（第２部材）とを有している。
本体１０及び蓋体２０は、ほぼ対称的な板状の形状を有している。本体１０と蓋体２０とは、ヒンジ３０によって連結されており、蓋体２０は、ヒンジ３０を中心に回動することによって非使用位置と使用位置との間を変位可能である。非使用位置とは、蓋体２０が閉じられて本体１０と重なる位置であり（図２参照）、使用位置とは、蓋体２０が開かれて本体１０とは重ならず、本体１０とは鈍角の角度間隔を有する位置である。
【００１３】
蓋体２０の内側面（本体１０と対向する側の面）には、拡大鏡２２が設けられている。図３に示すように、拡大鏡２２は、凹面状に形成されている。正確にいえば、拡大鏡２２は、ガラス等の透明層２３とその裏側に設けられた反射材層２４とを有している。そして、透明層２３の裏面及び反射材層２４のおもて面が、中心から周縁部に向かうにつれて手前側に向かうように湾曲しており、透明層２３のおもて面も同様に湾曲している。なお、透明層２３のおもて面は平面状であってもよい。
【００１４】
蓋体２０の内側面のうち、拡大鏡２２の近傍には、拡大鏡２２を囲繞するように、照明２６が設けられている。照明２６は、円環状の蛍光灯又は円環状に点在する多数の電球によって形成されている。
【００１５】
本体１０の内側面（蓋体２０と対向する側の面）には、収容部１２が形成されている。収容部１２は窪み状に形成されている。収容部１２には、予備用のコンタクトレンズ（正確には、それを収容した容器）Ｌ，コンタクトレンズ用の洗浄液（正確には、それを収容した容器）Ｗ１，目を洗浄するための洗浄液（正確には、それを収容した容器）Ｗ２のいずれか又はすべてが収容される。
【００１６】
本体１０には、電池１４が収容される。電池１４は、照明２６を発光させる電源となるものである。本体１０の内側面には、スイッチ１６が設けられている。スイッチ１６は、照明２６のオンオフを行うものである。
【００１７】
次に、このコンパクトの作用効果について説明する。
コンタクトレンズの使用者は、外出先等においては、このコンパクトの蓋体２０を使用位置に変位させ、拡大鏡２２で自分の目等を写しながら、コンタクトレンズの位置ずれを直したり目から異物を除去したりコンタクトレンズを装着する。
その際、拡大鏡２２では自分の目等が拡大して視認されるため、コンタクトレンズの位置ずれを直したり目から異物を除去したりコンタクトレンズを装着することが容易となる。
【００１８】
また、夜間等の暗い場所においては、照明２６を発光状態とすることによって、拡大鏡２２が明るくなり、暗い場所においても自分の目等が明確に視認され、上述の効果が確実に得られる。
【００１９】
また、このコンパクトでは、予備用のコンタクトレンズＬや洗浄液Ｗ１，Ｗ２が収容部１２に収容されるため、それらを別個に携帯する必要がなく、便利である。
【００２０】
なお、上記のものはあくまで本発明の一実施形態にすぎず、当業者の知識に基づいて種々の変更を加えた態様で本発明を実施できることはもちろんである。
例えば、本発明の携帯用鏡セットの形状は、上記実施形態のものに限らず、種々のものが考えられる。
【図面の簡単な説明】
【図１】本発明の一実施形態のコンパクト（携帯用鏡セット）を示す斜視図である。蓋体が使用位置にある状態を示す。
【図２】本発明の一実施形態のコンパクト（携帯用鏡セット）を示す斜視図である。蓋体が非使用位置にある状態を示す。
【図３】本発明の一実施形態のコンパクト（携帯用鏡セット）を示す縦断面図である。蓋体が使用位置にある状態を示す。
【符号の説明】
１０　本体（第１部材）
１２　収容部
２０　蓋体（第２部材）
２２　拡大鏡
２６　照明
３０　ヒンジ
【図１】
2004021070.tif 000003
【図２】
2004021070.tif 000004
【図３】
2004021070.tif 000005